(57)【要約】【課題】投写画像中に複数の画像の変化ある表示を両立でき、見た目の印象度を上げることが可能であるプロジェクタ、表示システム、プログラム及び表示方法を提供する。【解決手段】プロジェクタ４は、複数の画像３０，３２を含む投写画像４８を、投写対象物１６へ向け投写する投写表示部２６と、複数の画像３０，３２の表示位置を調整して、各画像の表示位置を決める表示位置調整部２８と、を含み、表示位置調整部２８は、それぞれ独立して複数の画像３０，３２の表示位置を調整する。【選択図】図１
2007334179.tif 000002
【特許請求の範囲】
【請求項１】
複数の画像を含む投写画像を、投写対象物へ向け投写する投写表示部と、
前記複数の画像の表示位置を調整して、前記各画像の表示位置を決める表示位置調整部と、
を含み、
前記表示位置調整部は、それぞれ独立して前記複数の画像の表示位置を調整することを特徴とするプロジェクタ。
【請求項２】
請求項１に記載のプロジェクタにおいて、
前記投写対象物は複数の表示領域を有し、
前記表示位置調整部は、ユーザによって指定される前記複数の表示領域の四隅の座標を利用して、前記複数の画像の表示位置を調整し、前記複数の表示領域毎に前記複数の画像の表示を行うことを特徴とするプロジェクタ。
【請求項３】
請求項２に記載のプロジェクタにおいて、
前記表示位置調整部は、前記座標に基づき前記複数の画像を射影変換で補正して表示位置を調整することを特徴とするプロジェクタ。
【請求項４】
請求項１に記載のプロジェクタにおいて、
前記投写対象物は、第１表示領域と第２表示領域とを含み、
前記第１表示領域には印刷画像が形成されており、
前記投写表示部は、第１画像情報を基に生成される第１画像と、第２画像情報を基に生成される第２画像とを投写し、
前記表示位置調整部は、第１画像の表示位置を調整し、前記第１画像と前記印刷画像との位置を合わせ、前記第２画像と前記第２表示領域との位置を合わせ、前記第１画像及び前記第２画像の表示位置をそれぞれ独立して調整することを特徴とするプロジェクタ。
【請求項５】
請求項４に記載のプロジェクタにおいて、
前記表示位置調整部は、ユーザによって指定される前記表示領域の四隅の座標を用いて画像の表示位置の調整をし、前記表示領域毎に前記第１画像及び前記第２画像を表示することを特徴とするプロジェクタ。
【請求項６】
請求項５に記載のプロジェクタにおいて、
前記表示位置調整部は、前記座標に基づき前記各画像を射影変換で補正して表示位置を調整することを特徴とするプロジェクタ。
【請求項７】
請求項４から６のいずれか一項に記載のプロジェクタにおいて、
前記第１表示領域及び前記第２表示領域が重なる部分は、前記第１画像を表示することを特徴とするプロジェクタ。
【請求項８】
複数の画像を含む投写画像を投写する投写表示部と、前記複数の画像の表示位置を調整して、前記各画像の表示位置を決める表示位置調整部と、を備え、前記表示位置調整部は、それぞれ独立して前記複数の画像の表示位置を調整するプロジェクタと、
第１表示領域と第２表示領域とを有し、前記第１表示領域に第１画像情報を基に生成される印刷画像が印刷されてなる投写対象物と、
を含み、
前記投写表示部は、前記第１画像情報を基に生成される第１画像と、第２画像情報を基に生成される第２画像とを投写し、
前記表示位置調整部は、前記第１画像及び前記第２画像の表示位置を調整し、前記第１画像と前記印刷画像との位置を合わせ、及び前記第２画像と前記第２表示領域との位置を合わせ、前記第１画像及び前記第２画像の表示位置を、それぞれ独立して調整することを特徴とする表示システム。
【請求項９】
コンピュータにより読み取り可能なプログラムであって、
コンピュータを、
複数の画像を含む投写画像を、投写対象物へ向け投写する投写表示部と、
前記複数の画像の表示位置を調整して、前記各画像の表示位置を決める表示位置調整部として機能させ、
前記表示位置調整部は、それぞれ独立して前記複数の画像の表示位置を調整することを特徴とするプログラム。
【請求項１０】
第１画像情報を基に生成される第１画像と、第２画像情報を基に生成される第２画像とを含む投写画像を、第１表示領域と第２表示領域とを有し、前記第１表示領域に印刷画像が印刷される投写対象物へ向け投写すること、
前記第１画像及び前記第２画像の表示位置を調整し、前記第１画像と前記印刷画像との位置を合わせ、及び前記第２画像と前記第２表示領域との位置を合わせること、
を含み、
前記第１画像及び前記第２画像の表示位置は、それぞれ独立して調整することを特徴とする表示方法。
【請求項１１】
請求項１０に記載の表示方法において、
前記第１表示領域及び前記第２表示領域が重なる部分は、前記第１画像を表示することを特徴とする表示方法。
【請求項１２】
請求項１０又は１１に記載の表示方法において、
前記第１画像及び前記第２画像の表示位置調整は、ユーザが前記第１表示領域及び前記第２表示領域の四隅をそれぞれ指定する座標指定を含むことを特徴とする表示方法。
【請求項１３】
請求項１２に記載の表示方法において、
前記第１画像及び前記第２画像の表示位置は、前記座標指定に基づき前記第１画像情報及び前記第２画像情報を射影変換で補正することにより調整されることを特徴とする表示方法。
【発明の詳細な説明】
【技術分野】
【０００１】
本発明は、プロジェクタ、表示システム、プログラム及び表示方法に関するものである。
【背景技術】
【０００２】
近年、ＬＣＤ、ＥＬ、プラズマディスプレイ、ＣＲＴ、投写型表示装置等の電子ディスプレイ装置における画質改善は目覚しく、解像度、色域については人間の視覚特性にほぼ匹敵する性能を有する装置が実現されつつある。しかし、輝度ダイナミックレンジについてみると、その再現範囲は暗室コントラスト比で数千対１程度の範囲にとどまり、特に明室環境下においては数百対１程度である。
【０００３】
一方、人間の視覚は、一度に知覚し得る輝度ダイナミックレンジの範囲はコントラスト比で数千〜数万であり、また、輝度弁別能力（コントラスト分解能：輝度の濃淡を弁別できる能力）は０．２［ｎｉｔ］（輝度：光を発する光源の単位面積あたりの光度を表し、光源に関する量。単位はｎｉｔ（ニット）＝ｃｄ／ｍ2）と言われておりこれを階調数に換算すると１２ｂｉｔ相当といわれている。
【０００４】
このような視覚特性を経由して現在の電子ディスプレイ装置の表示画像を見ると、輝度ダイナミックレンジの狭さが目立ち、加えてシャドウ部やハイライト部の階調が不足しているため表示画像のリアリティーや迫力に対して物足りなさを感じることになる。
【０００５】
これに対して、透視画を照明する可視光を変調することにより、ライトボックスを用いる透視画の表示を強める技術が提案されている（例えば、特許文献１参照）。
【０００６】
また物体の像をその物体に投影することにより、その物体の明部と暗部のコントラストを向上させる方法及びその装置が提案されている（例えば、特許文献２参照）。
【０００７】
さらに百貨店やスーパーマーケット、あるいは量販店などにおいて、顧客に店内の案内をしたり、商品の案内をしたりするために、ポスターに代わって、テレビジョン式の画像表示装置が広く利用されている。この画像表示装置が機能的なデザインを有し、高級感と高い訴求力によって顧客を引きつける構造のものが提案されている（例えば、特許文献３参照）。
【０００８】
さらにまたスクリーンが投射光軸に対して傾斜しているとき、つまりスクリーンに対して斜め方向から映像を投射するとき、斜め投射によって生じる投射映像の歪みを補正する機構を備えた投射型の格子状表示装置が提案されている（例えば、特許文献４参照）。
【０００９】
【特許文献１】特開平３−２２６７１２号公報
【特許文献２】特許第３２７６６３７号公報
【特許文献３】特開２００５−２０１９６４号公報
【特許文献４】特開２００２−４４５７１号公報
【発明の開示】
【発明が解決しようとする課題】
【００１０】
しかしながら、特許文献１及び特許文献２においては、コントラストの高い高画質な表示画像だが、表示画像の変化の自由度が低い。特に動画の表示が困難である。また特許文献３においては、表示画像の変化の自由度は高いが通常の投写のため画質は低い。特に明室環境においてはコントラストが非常に低くなる。さらに、特許文献４においては、全画面の投写画像を調整する機能のため、コントラストの高い高画質な表示と通常投写画像との両方の領域を調整することが困難である。
【００１１】
本発明は、上記問題点を解決するもので、投写画像中に複数の表示領域の変化ある表示を両立でき、見た目の印象度を上げることが可能であるプロジェクタ、表示システム、プログラム及び表示方法を提供することにある。
【課題を解決するための手段】
【００１２】
（１）本発明に係るプロジェクタは、複数の画像を含む投写画像を、投写対象物へ向け投写する投写表示部と、前記複数の画像の表示位置を調整して、前記各画像の表示位置を決める表示位置調整部と、を含み、前記表示位置調整部は、それぞれ独立して前記複数の画像の表示位置を調整する。
【００１３】
本発明によれば、投写画像中に複数の画像の表示位置を独立に調整できるので、複数の画像の変化ある表示を両立でき、見た目の印象度を上げることができる。
【００１４】
（２）このプロジェクタにおいて、前記投写対象物は複数の表示領域を有し、前記表示位置調整部は、ユーザによって指定される前記複数の表示領域の四隅の座標を利用して、前記複数の画像の表示位置を調整し、前記複数の表示領域毎に前記複数の画像の表示を行ってもよい。
【００１５】
（３）このプロジェクタにおいて、前記表示位置調整部は、前記座標に基づき前記複数の画像を射影変換で補正して表示位置を調整してもよい。
【００１６】
（４）このプロジェクタにおいて、前記投写対象物は、第１表示領域と第２表示領域とを含み、前記第１表示領域には印刷画像が形成されており、前記投写表示部は、第１画像情報を基に生成される第１画像と、第２画像情報を基に生成される第２画像とを投写し、前記表示位置調整部は、第１画像の表示位置を調整し、前記第１画像と前記印刷画像との位置を合わせ、前記第２画像と前記第２表示領域との位置を合わせ、前記第１画像及び前記第２画像の表示位置をそれぞれ独立して調整してもよい。
【００１７】
（５）このプロジェクタにおいて、前記表示位置調整部は、ユーザによって指定される前記表示領域の四隅の座標を用いて画像の表示位置の調整をし、前記表示領域毎に前記第１画像及び第２画像を表示してもよい。
【００１８】
（６）このプロジェクタにおいて、前記表示位置調整部は、前記座標に基づき前記各画像を射影変換で補正して表示位置を調整してもよい。
【００１９】
（７）このプロジェクタにおいて、前記第１表示領域及び前記第２表示領域が重なる部分は、前記第１画像を表示してもよい。
【００２０】
（８）本発明に係る表示システムは、複数の画像を含む投写画像を投写する投写表示部と、前記複数の画像の表示位置を調整して、前記各画像の表示位置を決める表示位置調整部と、を備え、前記表示位置調整部は、それぞれ独立して前記複数の画像の表示位置を調整するプロジェクタと、第１表示領域と第２表示領域とを有し、前記第１表示領域に第１画像情報を基に生成される印刷画像が印刷されてなる投写対象物と、を含み、前記投写表示部は、前記第１画像情報を基に生成される第１画像と、第２画像情報を基に生成される第２画像とを投写し、前記表示位置調整部は、前記第１画像及び前記第２画像の表示位置を調整し、前記第１画像と前記印刷画像との位置を合わせ、及び前記第２画像と前記第２表示領域との位置を合わせ、前記第１画像及び前記第２画像の表示位置を、それぞれ独立して調整する。
【００２１】
本発明によれば、投写画像中に複数の画像の表示位置を独立に調整できるので、複数の画像の変化ある表示を両立でき、見た目の印象度を上げることができる。
【００２２】
（９）本発明に係るプログラムは、コンピュータにより読み取り可能なプログラムであって、コンピュータを、複数の画像を含む投写画像を、投写対象物へ向け投写する投写表示部と、前記複数の画像の表示位置を調整して、前記各画像の表示位置を決める表示位置調整部として機能させ、前記表示位置調整部は、それぞれ独立して前記複数の画像の表示位置を調整する。
【００２３】
本発明によれば、投写画像中に複数の画像の表示位置を独立に調整できるので、複数の画像の変化ある表示を両立でき、見た目の印象度を上げることができる。
【００２４】
（１０）本発明に係る表示方法は、第１画像情報を基に生成される第１画像と、第２画像情報を基に生成される第２画像とを含む投写画像を、第１表示領域と第２表示領域とを有し、前記第１表示領域に印刷画像が印刷される投写対象物へ向け投写すること、前記第１画像及び前記第２画像の表示位置を調整し、前記第１画像と前記印刷画像との位置を合わせ、及び前記第２画像と前記第２表示領域との位置を合わせること、を含み、前記第１画像及び前記第２画像の表示位置は、それぞれ独立して調整する。
【００２５】
本発明によれば、投写画像中に複数の画像の表示位置を独立に調整できるので、複数の画像の変化ある表示を両立でき、見た目の印象度を上げることができる。
【００２６】
（１１）この表示方法において、前記第１表示領域及び前記第２表示領域が重なる部分は、前記第１画像を表示してもよい。
【００２７】
（１２）この表示方法において、前記第１画像及び前記第２画像の表示位置調整は、ユーザが前記第１表示領域及び前記第２表示領域の四隅をそれぞれ指定する座標指定を含んでもよい。
【００２８】
（１３）この表示方法において、前記第１画像及び前記第２画像の表示位置は、前記座標指定に基づき前記第１画像情報及び前記第２画像情報を射影変換で補正することにより調整してもよい。
【発明を実施するための最良の形態】
【００２９】
以下、本発明の実施の形態について図面を参照して説明する。
【００３０】
（プロジェクタ及び表示システム）
図１は、本発明を適用した実施の形態に係る表示システムを示すブロック図である。本実施の形態に係る表示システム２は、図１に示すように、投写対象物１６と、プロジェクタ４とを含んで構成されている。なお、印刷装置１０を含めて表示システム２としてもよい。高画質表示の元となる第１基本画像情報（データ）１２がＵＳＢメモリ等の記憶メディアに記憶されており、印刷装置１０は、その第１基本画像情報１２をプリンタ画像情報Ｉ／Ｆ（インターフェース）１４から読み込む。印刷装置１０は、プリンタ画像情報Ｉ／Ｆ１４から読み込んだ第１基本画像情報１２を投写対象物１６へ印刷するために必要なリサイズ、色補正などの各種画像変換／処理（例えばリサイズ処理、明るさ補正、コントラスト補正、彩度補正、色変換処理及び２値化処理等）をプリンタ画像変換／処理部１８で行って印刷画像情報２０を生成する。印刷装置１０は、プリンタ画像変換／処理部１８で生成する印刷画像情報２０を印刷部２２で投写対象物１６（例えば写真用紙）に印刷して、投写対象物１６に印刷画像２４を生成する。印刷画像２４は投写対象物１６の全面に生成されてもよいが、図１に示すように、投写対象物１６の一部（例えば右半分程度）の領域に第１基本画像情報１２のアスペクト比を保ちながら生成されてもよい。また印刷画像２４は、例えば投写対象物１６ではない他の印刷可能物（例えば紙）に印刷し、その紙を投写対象物１６に貼り付けてもよい。
【００３１】
投写対象物１６は、複数の表示領域を有していてもよい。投写対象物１６は、例えば第１表示領域３６と第２表示領域４０とを含んでいる。
【００３２】
プロジェクタ４は、投写表示部２６と、表示位置調整部２８とを含んで構成されている。
【００３３】
投写表示部２６は、複数の画像としての第１画像３０と第２画像３２とを含む投写画像４８を、印刷画像２４が印刷される投写対象物１６へ向け投写する。第１画像３０は、第１画像情報３４を基に生成されて、印刷画像２４が印刷されている第１表示領域３６に表示される。印刷画像２４が印刷されている第１表示領域３６に第１画像３０を表示することにより、第１表示領域３６は、第１画像３０又は印刷画像２４の少なくとも一方のコントラストより、コントラストの高い高画質な表示領域となる。第２画像３２は、第２画像情報３８を基に生成されて第２表示領域４０（印刷画像２４が印刷されていない領域）に表示される。第２表示領域４０は、第２画像３２のコントラストで表示される表示領域となる。
【００３４】
表示位置調整部２８は、第１画像３０の表示位置（第１画像３０の大きさを含む）を調整し、第１画像３０の表示位置を決め、第１画像３０と印刷画像２４との位置を合わせる、及び第２画像３２の表示位置（第２画像３２の大きさを含む）を調整し、第２画像３２の表示位置を決め、第２画像３２と第２表示領域４０との位置を合わせる。表示位置調整部２８は、それぞれ独立して第１画像３０と第２画像３２との表示位置を調整することができる。
【００３５】
プロジェクタ４は、印刷装置１０と同様の第１基本画像情報１２をプロジェクタ画像情報Ｉ／Ｆ４２から読み込む。プロジェクタ４は、プロジェクタ画像情報Ｉ／Ｆ４２から読み込んだ第１基本画像情報１２を投写対象物１６の第１表示領域３６へ投写表示するために必要なリサイズ、色補正などの各種画像変換／処理（例えば明るさ補正、コントラスト補正及び彩度補正等）をプロジェクタ画像変換／処理部４４で行って第１画像情報３４を生成する。プロジェクタ４は、プロジェクタ画像変換／処理部４４で生成する第１画像情報３４を投写表示部２６で投写対象物１６の第１表示領域３６へ投写して、投写対象物１６の第１表示領域３６に第１画像３０を表示する。
【００３６】
またプロジェクタ４は、第１基本画像情報１２とは別の第２基本画像情報４６をプロジェクタ画像情報Ｉ／Ｆ４２から読み込む。プロジェクタ４は、プロジェクタ画像情報Ｉ／Ｆ４２から読み込んだ第２基本画像情報４６を投写対象物１６の第２表示領域４０へ投写表示するために必要なリサイズ、色補正などの各種画像変換／処理（例えば明るさ補正、コントラスト補正及び彩度補正等）をプロジェクタ画像変換／処理部４４で行って第２画像情報３８を生成する。プロジェクタ４は、プロジェクタ画像変換／処理部４４で生成する第２画像情報３８を投写対象物１６の第２表示領域４０へ投写して、投写対象物１６の第２表示領域４０に第２画像３２を表示する。第２画像３２が投射される第２表示領域４０の投写対象物１６面上には何も印刷されていないため通常のスクリーンと同様に投写表示結果がそのまま表示される。言い換えれば、印刷結果に応じた画像情報を表示する必要が無く、動画映像などの動きのある映像を表示することが可能である。
【００３７】
第１表示領域３６が高画質表示結果を得るためには、第１画像３０と印刷画像２４との位置を合わせて表示する必要がある。言い換えれば、第１画像３０を印刷画像２４に位置を合わせて表示することにより、第１画像３０又は印刷画像２４の少なくとも一方のコントラストより、コントラストの高い高画質な表示結果を得ることができる。
【００３８】
位置合わせ機能として、例えば、プロジェクタと投写面との位置関係により、表示領域が台形状に歪むことがある。そのような歪みを補正する機能が現在のプロジェクタには搭載されているものがある。具体的には、スクリーンの四隅の点をポインティングデバイスで指示することにより、プロジェクタの投写表示映像を、そのスクリーンに合わせる機能が知られている。これにより、斜め位置から投写して立体的に歪んだ画像が投影された場合でも、スクリーンの四隅の４点を設定するだけで、スクエアな画像に補正することができ、今までスクリーン正面に置かざるを得なかったプロジェクタを邪魔にならない場所に置くことができ、設置場所の自由度が上がるようになる。ただし、この機能で可能なのはプロジェクタが表示する全画像情報をスクリーン全体に合わせることしか出来ないため、図１のように、第１表示領域３６に合わせて第１画像３０を表示し、第２表示領域４０に合わせて第２画像３２を表示するといったことが出来ない。
【００３９】
そこで、本実施の形態に係るプロジェクタ４は、プロジェクタ４の投写画像４８内の複数の画像の表示位置の設定を独立に可能とし、かつ第１表示領域３６及び第２表示領域４０に表示されるように画像情報も独立に指定可能とするものである。
【００４０】
ここで、表示位置調整部２８の表示領域の表示位置の調整について詳細に説明する。
【００４１】
図２及び図３は、本発明を適用した実施の形態に係る表示領域の指定（表示位置の調整）の例を示す図である。表示位置調整部２８（図１参照）は、図２及び図３に示すように、ユーザによって指定される第１表示領域３６及び第２表示領域４０の四隅の座標を利用して、第１画像３０及び第２画像３２の表示位置を調整し、第１表示領域３６及び第２表示領域４０毎に第１画像３０及び第２画像３２の表示を行ってもよい。例えば、図２（Ａ）に示すように、投写画像４８中に第１表示領域３６の指定を行う。第１表示領域３６の指定は、四隅をユーザが指示することにより行うが、ユーザが指定時に分かりやすい様に四隅（四隅の設定は任意に設定可能である）にポインタ５２（この場合は●）を表示し、かつ、この時点で指定する左上の隅のポインタ５２の色を赤色等（図では白色）にし、分かりやすくしている。左上の点をユーザが決定したら、次は右上の点を赤くしてユーザに指定すべき点を分かりやすく明示すればよい。順次同様に残りのポインタ５２の指定を行い、図２（Ｂ）に示すように、右下の点をユーザが決定することにより第１表示領域３６の指定が完了する。
【００４２】
次に、図３（Ａ）に示すように、投写画像４８中に第２表示領域４０の指定を行う。第２表示領域４０は第１表示領域３６と区別するためポインタ５４の形を■にし、かつ現在の指定対象ポインタ５４を水色等（図では白色）で示すことによってユーザに分かりやすくしている。右上の点をユーザが決定したら、次は左上の点を水色にしてユーザに指定すべき点を分かりやすく明示すればよい。順次同様に残りのポインタ５４の指定を行い、図３（Ｂ）に示すように、左下の点をユーザが決定することにより第２表示領域４０の指定が完了する。これにより、プロジェクタ４は、第１画像３０と第２画像３２とを、それぞれ第１表示領域３６と第２表示領域４０とに同時に表示でき、また、表示位置調整部２８で第１画像３０と第２画像３２とをそれぞれ独立して表示位置を調整することができる。
【００４３】
なお、表示位置調整部２８は、上記ユーザの座標指定に基づき第１画像情報３４及び第２画像情報３８を射影変換で補正してもよい。例えば、ここで指定された第１表示領域３６及び第２表示領域４０の四隅の点を元に、表示位置調整部２８は、第１画像情報３４（第１画像３０に表示）及び第２画像情報３８（第２画像３２に表示）に射影変換等の変換処理を行うことにより領域に合わせた表示位置調整を行う。射影変換の詳細な実施に関しては特開２００５―２８６５７２号公報の方法を用いればよい。また第１表示領域３６と第２表示領域４０とが重なる（オーバーラップする）部分は、第１画像３０を表示してもよい。
【００４４】
これにより、表示システム２は、投写対象物１６に複数のコントラストの高い高画質な第１表示領域３６と、通常のスクリーンと同様の投写表示の第２表示領域４０を１台のプロジェクタ４で同時に実現可能である。例えば、第１画像３０として静止画、第２画像３２として動画を利用した際には、非常に高画質な表示（第１表示領域３６）と動きのある表示（第２表示領域４０）を同時に表示可能なため、変化ある表示を両立でき見た目の印象度を上げることができる。さらに、第１表示領域３６の印刷画像２４とは関係なく第２表示領域４０の第２画像情報３８を作成できるため、画像情報の作成が簡易である。
【００４５】
（プログラム）
なお、表示位置調整部２８等としてコンピュータ（図示せず）を機能させるためのプログラムを記憶した情報記憶媒体（図示せず）からプログラムを読み取って表示位置調整部２８等の機能をコンピュータに実装することができる。
【００４６】
このような情報記憶媒体としては、例えばＣＤ−ＲＯＭ、ＤＶＤ−ＲＯＭ、ＲＯＭ、ＲＡＭ及びＨＤＤ等を適用でき、そのプログラムの読み取り方式は接触方式であっても、非接触方式であってもよい。
【００４７】
また情報記憶媒体に代えて、上述した各機能を実装するためのプログラム等を、伝送路を介してホスト装置等からダウンロードすることによって上述した各機能を実装することも可能である。
【００４８】
（表示方法）
次に、これらの各部を用いた表示方法の流れについて説明する。
【００４９】
図４は、本発明を適用した実施の形態に係る表示方法を示すフローチャートである。事前に、図１に示すように、高画質表示の元となる第１基本画像情報１２を用いて印刷装置１０等で投写対象物１６に印刷画像２４を印刷して準備しておく。まず、表示バッファ５０をクリアする（ステップＳ１００）。
【００５０】
次に、表示すべき未処理の画像情報が残っているか判断する（ステップＳ１１０）。表示すべき未処理の第１基本画像情報１２及び第２基本画像情報４６が残っている場合はステップＳ１２０へ進む。表示すべき未処理の第１基本画像情報１２及び第２基本画像情報４６が残っていない場合はステップＳ１６０へ進む。
【００５１】
次に、各画像情報を読み込む（ステップＳ１２０）。具体的には、印刷装置１０と同様の第１基本画像情報１２をプロジェクタ画像情報Ｉ／Ｆ４２から読み込む。さらに第１基本画像情報１２とは別の第２基本画像情報４６をプロジェクタ画像情報Ｉ／Ｆ４２から読み込む。
【００５２】
次に、各種画像変換／処理を行う（ステップＳ１３０）。具体的には、投写対象物１６の第１表示領域３６へ投写表示するために必要なリサイズ、色補正などの各種画像変換／処理（例えば明るさ補正、コントラスト補正及び彩度補正等）をプロジェクタ画像変換／処理部４４で行って第１画像情報３４及び第２画像情報３８が生成される。
【００５３】
次に、表示位置調整を行う（ステップＳ１４０）。具体的には、第１画像情報３４を基に生成される第１画像３０と、第２画像情報３８を基に生成される第２画像３２とを含む画像を、印刷画像２４が印刷される投写対象物１６へ向け、第１画像３０が第１表示領域３６に、第２画像３２が第２表示領域４０に表示されるように投写する。第１画像３０の表示位置（画像の大きさを含む）の調整を行い、第１画像３０と第１表示領域３６（印刷画像２４）との位置を合わせる。及び第２画像３２の表示位置の調整を行い、第２画像３２と第２表示領域４０との位置を合わせる。各表示領域の表示位置の調整の詳細は、上記で説明した通りである。
【００５４】
次に、表示バッファ５０に保存する（ステップＳ１５０）。具体的には、第１画像３０と第２画像３２とを含む画像を表示バッファ５０に保存する。
【００５５】
次に、表示すべき未処理の画像情報が残っているか判断する（ステップＳ１１０）。表示すべき未処理の第１基本画像情報１２及び第２基本画像情報４６が残っている場合はステップＳ１２０へ進む。表示すべき未処理の第１基本画像情報１２及び第２基本画像情報４６が残っていない場合はステップＳ１６０へ進む。
【００５６】
次に、表示バッファ５０の内容を投写する（ステップＳ１６０）。具体的には、表示バッファ５０に保存された第１画像３０と第２画像３２とを含む画像を、印刷画像２４が印刷される投写対象物１６へ向け投写する。その後、終了する。
【００５７】
なお、第１表示領域３６と第２表示領域４０はオーバーラップしていてもよく、その場合には重なっている領域には第１画像３０の表示をおこなってもよい。これにより、印刷画像２４との整合性が保たれる。
【００５８】
また、図１の例では第１画像３０と第２画像３２とは、同じ投写対象物１６（例えば紙面上、スクリーン面上）に投写したが、それぞれの第１表示領域３６及び第２表示領域４０の投写面は奥行き方向にずれているなど同じ面でなくてもよい。
【００５９】
また第１表示領域３６及び第２表示領域４０は、２つに限られるわけではなく３以上でもよい。さらに、第２基本画像情報４６は、静止画像だけに限られるわけではなく動画やイラスト、テキストなどでもよい。またプロジェクタ画像情報Ｉ／Ｆ４２への画像情報入力方法は、ストレージデバイスだけではなく無線ＬＡＮ（local Area Network）等の通信系やＤＶＩ（Digital Visual Interface）などの通常映像信号でもよい。
【００６０】
図５は、本発明を適用した実施の形態に係る第１画像と第２画像とを同時に表示した例を示す図である。第１画像３０と第２画像３２とは、それぞれ独立して表示位置が調整され、それぞれ第１表示領域３６及び第２表示領域４０に表示される。又、投写対象物１６の第１表示領域３６には印刷画像２４が形成されている。
【００６１】
本実施の形態では、第１画像３０と第２画像３２とは、それぞれ独立して表示位置の調整を行うことができ、第１表示領域３６と第２表示領域４０とへの表示を１台のプロジェクタ４で同時に実現可能である。つまり非常に高画質な表示領域（第１表示領域３６）と動きのある表示領域（第２表示領域４０）を同時に実現可能なため、見た目の印象度を上げることができる。さらに、第１表示領域３６の印刷画像２４とは関係なく第２表示領域４０の第２画像情報３８を作成できるため、画像情報の作成が簡易である。
【００６２】
なお、本発明は、上述した実施の形態に限定されるものではなく、種々の変形が可能である。
【図面の簡単な説明】
【００６３】
【図１】本発明を適用した実施の形態に係る表示システムを示すブロック図である。
【図２】本発明を適用した実施の形態に係る表示領域の指定の例を示す図である。
【図３】本発明を適用した実施の形態に係る表示領域の指定の例を示す図である。
【図４】本発明を適用した実施の形態に係る表示方法を示すフローチャートである。
【図５】本発明を適用した実施の形態に係る第１画像と第２画像を同時に表示した例を示す図である。
【符号の説明】
【００６４】
２…表示システム  ４…プロジェクタ  １０…印刷装置  １２…第１基本画像情報  １４…プリンタ画像情報Ｉ／Ｆ  １６…投写対象物  １８…プリンタ画像変換／処理部  ２０…印刷画像情報  ２２…印刷部  ２４…印刷画像  ２６…投写表示部  ２８…表示位置調整部  ３０…第１画像  ３２…第２画像  ３４…第１画像情報  ３６…第１表示領域  ３８…第２画像情報  ４０…第２表示領域  ４２…プロジェクタ画像情報Ｉ／Ｆ  ４４…プロジェクタ画像変換／処理部  ４６…第２基本画像情報  ４８…投写画像  ５０…表示バッファ  ５２，５４…ポインタ。
【図１】
2007334179.tif 000003
【図２】
2007334179.tif 000004
【図３】
2007334179.tif 000005
【図４】
2007334179.tif 000006
【図５】
2007334179.tif 000007